(57)【要約】  前駆体原料容器１００が、容器本体１０４、容器本体１０４内の通路１４５、及び本体１０４の表面に取り付けられる弁１０８、１１０、２１０を備える。内部チャンバ１１１が化学反応物を収容するようになっており、通路１４５は、本体１０４の外側からチャンバ１１１まで延びる。弁１０８、１１０、２１０は、通路１４５を通る流れを調整する。容器１００は、入口弁１０８及び出口弁１１０、及び場合によっては内部ガスを抜くためのベント弁２１０を有する。外部ガスパネル９７が、出口弁１１０と基板反応チャンバ１６２との間に流体的に介装される少なくとも１つの弁１８２を含み得る。ガスパネル弁１８２は、容器１００の平坦な表面と概ね平行でありこの表面からの距離が約１０．０ｃｍ以下である平面に沿ってそれぞれが位置決めされ得る。容器蓋１０６又は壁にあるフィルタ１３０が、容器の弁１０８、１１０、２１０を通るガス流を濾過する。クイック接続アセンブリ１０２が、ガスパネル９７への容器１００の迅速で容易な接続を可能にする。【選択図】図８
2010506429.tif 000002
【特許請求の範囲】
【請求項１】
化学反応物原料容器であって、
固体又は液体化学反応物を収容するようになっている内部チャンバを画定する容器本体と、
前記容器本体内にあり、該容器本体の外側から前記チャンバまで延びる通路と、
前記容器本体の表面に直接取り付けられ、前記通路を通る流れを調整するように構成される弁と、
を備える、化学反応物原料容器。
【請求項２】
前記弁は、該弁と前記容器本体の前記表面との間で配管を用いずに前記容器本体の前記表面に接続される、請求項１に記載の容器。
【請求項３】
前記弁は、前記容器本体と少なくとも部分的に一体形成される、請求項１に記載の容器。
【請求項４】
前記弁は、
前記容器本体に備え付けられるか又は該容器本体と一体形成される弁ポーティングブロックであって、弁座を画定し、前記通路を画定して前記弁座と流体連通する内部ガス流導管を含む、弁ポーティングブロックと、
前記弁座を通るガス流を遮断するようになっている可動フローリストリクタと、
を備える、請求項１に記載の容器。
【請求項５】
前記容器本体は、
コンテナ本体と、
前記コンテナ本体と係合して該コンテナ本体との間に前記チャンバを画定するようになっており、前記通路が内部にあり、前記弁が直接取り付けられる容器蓋と、
を備える、請求項１に記載の容器。
【請求項６】
前記容器本体は、入口及び出口を含み、前記チャンバは、前記化学反応物を収容するように構成される迂曲経路を含み、該迂曲経路は、前記入口から前記出口まで延びる、請求項１に記載の容器。
【請求項７】
前記チャンバ内に蛇行インサートをさらに備え、該蛇行インサートは、前記迂曲経路を画定する、請求項６に記載の容器。
【請求項８】
前記チャンバ内にトレーのスタックをさらに備え、該トレーは、前記迂曲経路の少なくとも一部を含む螺旋状ガス流路を共同で画定する、請求項６に記載の容器。
【請求項９】
前記迂曲経路は、前記コンテナ本体又は前記容器蓋に加工される、請求項６に記載の容器。
【請求項１０】
基板の蒸気処理のための気相反応器のガス送出システムであって、
基板を処理する気相反応チャンバと、
固体又は液体化学反応物を収容するようになっている容器と、
前記容器の概ね平坦な表面に接続される入口弁と、
前記容器の前記概ね平坦な表面に接続される出口弁と、
前記入口弁から前記出口弁まで前記容器を通るガス流路であって、前記容器内に収容されている固体又は液体化学反応物と接触するようにガスを搬送するように構成されるガス流路と、
前記出口弁の下流に少なくとも１つの弁を含み、前記出口弁と前記反応チャンバとの間に流体的に介装される複数のガスパネル弁と、
を備え、前記ガスパネル弁は、前記容器の前記平坦な表面と概ね平行な平面に沿ってそれぞれが位置決めされ、該平面は、前記容器の前記平坦な表面からの距離が約１０．０ｃｍ以下である、基板の蒸気処理のための気相反応器のガス送出システム。
【請求項１１】
前記容器の前記平坦な表面に接続されて前記平面に沿って位置決めされ、前記ガス流路と流体連通するベント弁と、
前記反応チャンバの下流の蒸気排出部品と、
ガス流を前記ガスパネル弁にも前記反応チャンバにも流さずに前記ベント弁から前記排出部品に送出する１つ又は複数の導管と、
をさらに備える、請求項１０に記載のガス送出システム。
【請求項１２】
化学反応物原料容器であって、
固体又は液体化学反応物を収容するようになっている内部チャンバを画定するコンテナであって、該コンテナの壁が該コンテナの外側から前記チャンバまで延びる通路を有する、コンテナと、
前記壁に取り付けられ、前記通路を通して前記チャンバに出入りするガス流を調整するようになっている弁と、
前記壁にあり、粒子状物質が前記通路を通って流れるのを防止するようになっているフィルタと、
を備える、化学反応物原料容器。
【請求項１３】
前記弁は、前記壁と少なくとも部分的に一体形成される、請求項１２に記載の容器。
【請求項１４】
前記コンテナは、コンテナ本体、及び該コンテナ本体との間に前記チャンバを画定するように前記本体と係合するようになっている蓋を含み、前記壁は、該蓋の一部を含む、請求項１２に記載の容器。
【請求項１５】
前記蓋の内面が、前記フィルタを受け入れる凹部を含み、前記通路は、該凹部内で終端する一端及び前記弁と流体連通する別端を有し、前記フィルタは、
内側に開口を画定する内側環状壁を有し、前記凹部内に位置決めされるフランジと、
前記フランジの前記開口を実質的に満たすフィルタ材料と、
を備え、前記チャンバ内のガスが、前記フィルタ材料及び前記フランジの前記開口を通って流れなければ前記通路を通って流れることができない、請求項１４に記載の容器。
【請求項１６】
基板の蒸気処理のための気相反応器のガス送出システムであって、
基板を処理する気相反応チャンバと、
固体又は液体化学反応物を収容するようになっている容器と、
前記容器に接続される出口弁と、
前記出口弁から前記反応チャンバに反応物ガス流を送出するガス送出システムと、
前記反応チャンバの下流の蒸気排出部品と、
前記容器に接続されるベント弁と、
ガス流を前記ガス送出システムにも前記反応チャンバにも流さずに前記ベント弁から前記排出部品に送出する１つ又は複数の導管と、
を備える、基板の蒸気処理のための気相反応器のガス送出システム。
【請求項１７】
前記ベント弁は、前記容器の壁に直接接続される、請求項１６に記載のガス送出システム。
【請求項１８】
前記容器の前記壁は、該容器の外部から該容器の内部チャンバまで延びる通路を有し、該内部チャンバは、前記固体又は液体化学反応物を収容するように構成され、前記ベント弁は、前記通路を通るガス流を調整するように構成され、前記システムは、前記壁にフィルタをさらに備え、該フィルタは、粒子状物質が前記通路を通って流れるのを防止するようになっている、請求項１６に記載のガス送出システム。
【請求項１９】
化学反応物原料容器を基板の蒸気処理のための気相反応器のガスインタフェースアセンブリに接続する装置であって、
固体又は液体化学反応物を収容するようになっているチャンバを有し、該チャンバと流体連通する入口及び出口を含む容器と、
気相反応器のガスインタフェースアセンブリであって、前記容器チャンバの前記出口に接続するようになっているガス入口を有するガスインタフェースアセンブリと、
前記容器を前記ガスインタフェースアセンブリに接続する接続アセンブリであって、
前記容器の１つ又は複数のトラック係合部材と可動係合するようになっている１つ又は複数の細長いトラックを含むトラック部品、及び
前記トラック部品を下降位置と上昇位置との間で鉛直方向に移動させるように構成されるリフトアセンブリ
を備える、接続アセンブリと、
を備え、前記容器の前記１つ又は複数のトラック係合部材が前記トラック部品の前記１つ又は複数のトラックと係合して、前記リフトアセンブリが前記トラック部品を前記上昇位置に移動させると、前記容器の前記出口は、前記ガスインタフェースアセンブリの前記ガス入口と実質的に直接流体連通するように位置決めされる、化学反応物原料容器を基板の蒸気処理のための気相反応器のガスインタフェースアセンブリに接続する装置。
【請求項２０】
前記１つ又は複数のトラック係合部材は、整列したローラを備え、前記１つ又は複数のトラックは、前記ローラを受け入れるように構成される、請求項１９に記載の装置。
【請求項２１】
前記１つ又は複数のトラック係合部材は、舌部を備え、前記１つ又は複数のトラックは、前記舌部を摺動可能に受け入れるように構成される、請求項１９に記載の装置。
【請求項２２】
前記ガスインタフェースアセンブリは、前記容器と、該容器及び前記ガスインタフェースアセンブリの複数の弁とを加熱するようになっているヒータプレートを含む、請求項１９に記載の装置。
【請求項２３】
前記容器の前記入口を通るガス流を調整するようになっている入口弁と、
前記容器の前記出口を通るガス流を調整するようになっている出口弁と、
をさらに備え、前記入口弁及び前記出口弁は、前記容器の表面に直接取り付けられる、請求項１９に記載の装置。
【請求項２４】
前記入口弁及び前記出口弁は、前記容器と少なくとも部分的に一体形成される、請求項２３に記載の装置。
【請求項２５】
前記容器は、コンテナ本体と、該コンテナ本体と係合して該コンテナ本体との間に前記チャンバを画定するようになっている蓋とを備え、前記容器の前記入口及び前記容器の前記出口は、前記蓋に画定され、前記入口弁及び前記出口弁は、前記蓋に取り付けられる、請求項２３に記載の装置。
【発明の詳細な説明】
【技術分野】
【０００１】
［背景］
本願は、包括的には半導体処理装置（equipment）に関し、より詳細には、処理チャンバに反応物ガスを送出する装置（apparatus）に関する。
【０００２】
［優先権の主張］
本願は、２００６年１０月１０日に出願の米国仮特許出願第６０／８５０，８８６号に対して米国特許法第１１９条（ｅ）項に基づく優先権を主張する。
【背景技術】
【０００３】
［関連技術の説明］
化学気相成長法（ＣＶＤ）は、シリコンウェハ等の基板上に材料の薄膜を形成するための半導体業界で既知のプロセスである。ＣＶＤでは、種々の反応物の反応物ガス（本明細書では「前駆体ガス」とも呼ぶ）が、反応チャンバ内の１つ又は複数の基板に送出される。多くの場合、反応チャンバは、基板ホルダ（サセプタ等）上で支持されている基板を１つだけ含み、この基板及び基板ホルダは、所望のプロセス温度で維持される。反応物ガスは、互いに反応して基板上に薄膜を形成し、その成長速度は、反応物ガスの温度又は量によって制御される。
【０００４】
用途によっては、反応物ガスは、反応物原料容器（vessel）内に気体形態で格納される。このような用途では、反応物蒸気は、周囲（すなわち標準）圧力及び温度で気体であることが多い。このようなガスの例としては、窒素、酸素、水素、及びアンモニアが挙げられる。しかしながら、場合によっては、周囲圧力及び温度で液体又は固体である原料化学物質（「前駆体」）（例えば、塩化ハフニウム）の蒸気が用いられる。これらの原料化学物質は、反応プロセスに十分な量の蒸気を生成するために加熱が必要であり得る。固体物質（本明細書では「固体原料前駆体」と呼ぶ）によっては、室温での蒸気圧が非常に低いため、十分な量の反応物蒸気を生成するための加熱及び／又は非常に低い圧力での維持が必要である。気化されると、反応チャンバへの気相反応物の送出に関連する弁、フィルタ、導管、及び他の部品における望ましくない凝縮を防止するために、処理システムを通して気相反応物を気化温度以上に保つことが重要である。このような天然固体又は液体物質からの気相反応物は、様々な他の産業での化学反応に有用である。
【０００５】
原子層堆積法（ＡＬＤ）は、基板上に薄膜を形成するための別の既知のプロセスである。多くの用途で、ＡＬＤは、上述のような固体及び／又は液体原料化学物質を用いる。ＡＬＤは、複数サイクルで行われる自己飽和反応で膜が蓄積する一種の気相堆積である。膜厚は、行われたサイクルの回数によって決まる。ＡＬＤプロセスでは、気体前駆体を基板又はウェハに交互に繰り返し供給して、ウェハ上に材料の薄膜を形成する。１つの反応物が、自己制限プロセスでウェハ上に吸着する。続くパルスで送られる異なる反応物が、吸着した材料と反応して所望の材料から成る単一分子層を形成する。配位子交換又はゲッタリング反応等での適切に選択された試薬との反応によって、分解が生じ得る。通常のＡＬＤ反応では、サイクルごとに１つの単分子層しか形成されない。ターゲット厚に達するまで成長サイクルを繰り返すことで、膜が厚くなる。
【０００６】
通常の固体又は液体原料前駆体送出システムは、固体又は液体原料前駆体容器及び加熱手段（例えば、放射加熱ランプ、抵抗加熱器等）を含む。容器は、固体（例えば、粉末形態）又は液体原料前駆体を含む。加熱手段は、容器を加熱して容器内の前駆体ガスの蒸気圧を上昇させる。容器は、容器に不活性キャリアガス（例えば、Ｎ２）を流すための入口及び出口を有する。キャリアガスは、前駆体蒸気と共に容器出口を通過して最終的に基板反応チャンバに至る。容器は通常、容器の内容物を容器外部から流体的に隔離するための隔離弁を含む。普通は、１つの隔離弁が容器入口の上流に設けられ、別の隔離弁が容器出口の下流に設けられる。前駆体原料容器には通常、入口及び出口から延びる管、管の隔離弁、及び弁のフィッティングが付属しており、フィッティングは、残りの基板処理装置のガス流ラインに接続するように構成される。前駆体原料容器と反応チャンバとの間の様々な弁及びガス流ラインを加熱するために複数の付加的なヒータを設けて、前駆体ガスが凝縮してこのような部品に堆積するのを防止することが望ましいことが多い。したがって、原料容器と反応チャンバとの間のガス搬送部品は、前駆体の気化／凝縮温度よりも高い温度が維持される「ホットゾーン」と呼ばれることがある。
【０００７】
キャリアガスを固体又は液体前駆体原料に曝しながら流すために、蛇行又は迂曲流路を設けることが知られている。例えば、特許文献１、特許文献２、及び特許文献３はそれぞれがこのような蛇行経路を開示している。
【先行技術文献】
【特許文献】
【０００８】
【特許文献１】米国特許第４，８８３，３６２号
【特許文献２】米国特許第７，１２２，０８５号
【特許文献３】米国特許第７，１５６，３８０号
【発明の概要】
【０００９】
一態様では、化学反応物原料容器が、容器本体と、容器本体内の通路と、容器本体の表面に直接取り付けられる弁とを備える。容器本体は、固体又は液体化学反応物を収容するようになっている内部チャンバを画定し、通路は、容器本体の外側からチャンバまで延びる。弁は、通路を通る流れを調整するように構成される。
【００１０】
一態様では、基板の蒸気処理のための気相反応器のガス送出システムが、基板を処理する気相反応チャンバと、固体又は液体化学反応物を収容するようになっている容器と、容器の概ね平坦な表面に接続される入口弁と、容器の概ね平坦な表面に接続される出口弁と、入口弁から出口弁まで容器を通るガス流路と、複数のガスパネル弁とを備える。ガス流路は、容器内に収容されている固体又は液体化学反応物と接触するようにガスを搬送するように構成される。ガスパネル弁は、出口弁の下流に少なくとも１つの弁を含み、出口弁と反応チャンバとの間に流体的に介装される。ガスパネル弁は、容器の平坦な表面と概ね平行な平面に沿ってそれぞれが位置決めされ、平面は、容器の平坦な表面からの距離が約１０．０ｃｍ以下である。
【００１１】
一態様では、化学反応物原料容器が、コンテナ（container）と、弁と、フィルタとを備える。コンテナは、固体又は液体化学反応物を収容するようになっている内部チャンバを画定する。コンテナの壁がコンテナの外側からチャンバまで延びる通路を有する。弁は、壁に取り付けられ、通路を通してチャンバに出入りするガス流を調整するようになっている。フィルタは、壁にあり、粒子状物質が通路を通って流れるのを防止するようになっている。
【００１２】
さらに別の態様では、基板の蒸気処理のための気相反応器のガス送出システムが、基板を処理する気相反応チャンバと、固体又は液体化学反応物を収容するようになっている容器と、容器に接続される出口弁と、出口弁から反応チャンバに反応物ガス流を送出するガス送出システムと、反応チャンバの下流の蒸気排出部品と、容器に接続されるベント弁と、ガス流をガス送出システムにも反応チャンバにも流さずにベント弁から排出部品に送出する１つ又は複数の導管とを備える。
【００１３】
さらなる別の態様では、化学反応物原料容器を基板の蒸気処理のための気相反応器のガスインタフェースアセンブリに接続する装置が提供される。装置は、容器と、気相反応器のガスインタフェースアセンブリと、容器をガスインタフェースアセンブリに接続する接続アセンブリとを備える。容器は、固体又は液体化学反応物を収容するようになっているチャンバを有する。容器は、チャンバと流体連通する入口及び出口を含む。ガスインタフェースアセンブリは、容器チャンバの出口に接続するようになっているガス入口を有する。接続アセンブリは、トラック部品と、リフトアセンブリとを備える。トラック部品は、容器の１つ又は複数のトラック係合部材と可動係合するようになっている１つ又は複数の細長いトラックを含む。リフトアセンブリは、トラック部品を下降位置と上昇位置との間で鉛直方向に移動させるように構成される。容器の１つ又は複数のトラック係合部材がトラック部品の１つ又は複数のトラックと係合して、リフトアセンブリがトラック部品を上記上昇位置に移動させると、容器の出口は、ガスインタフェースアセンブリのガス入口と実質的に直接流体連通するように位置決めされる。
【００１４】
本発明、及び従来技術を超えて達成される利点を要約するために、本発明のいくつかの目的及び利点を本明細書で上述した。当然ながら、必ずしもこのような目的又は利点の全てが本発明の特定の実施形態に従って達成され得るわけではないことを理解されたい。したがって、例えば、本明細書で教示又は示唆され得るような他の目的又は利点を必ずしも達成することなく、本明細書で教示される１つの利点又は一群の利点を達成又は最適化するように本発明が具現又は実行され得ることが、当業者には認識されるであろう。
【００１５】
これらの実施形態の全てが、本明細書に開示されている本発明の範囲内にあることが意図される。本発明のこれら及び他の実施形態は、添付図面に関連する好適な実施形態の以下の詳細な説明から当業者には容易に明らかとなるであろうが、本発明は、開示されている特定の好適な実施形態（複数可）に決して限定されない。
【００１６】
本発明のこれら及び他の態様は、以下の説明及び添付の特許請求の範囲に照らして、且つ本発明を限定するのではなく説明することを意図した図面から、当業者には容易に明らかとなるであろう。
【図面の簡単な説明】
【００１７】
【図１】従来の前駆体原料アセンブリ及び反応チャンバアセンブリの概略図である。
【図２】従来の固体前駆体原料容器の斜視図である。
【図３】原子層堆積のための反応物ガスパルスの理想的な原料化学物質濃度及び理想に満たない原料化学物質濃度の両方の図である。
【図４】従来の前駆体原料容器及びガスパネルの概略図である。
【図５】表面実装弁を有する前駆体原料容器及びガスパネルの概略図である。
【図６】表面実装弁を有する前駆体原料容器及び当該容器と密接に熱接触しているガスパネルの概略図である。
【図７】前駆体原料容器、当該容器と流体連通するガスインタフェースアセンブリ、及び容器とガスインタフェースアセンブリとを接続及び切断するクイック接続アセンブリの好適な実施形態の斜視図である。
【図８】図７の容器の分解斜視図である。
【図９】図７の容器の後部断面斜視図である。
【図１０】図７の容器の後部断面図である。
【図１１】容器本体の代替的な実施形態の上面斜視図である。
【図１２】トレーのスタックを備える蛇行インサートの実施形態の分解斜視図である。
【図１３】図１２の蛇行インサートの上スタッキングトレーの斜視図である。
【図１４】図１３の上スタッキングトレーの上面図である。
【図１５】図１２の蛇行インサートの下スタッキングトレーの斜視図である。
【図１６】図１５の下スタッキングトレーの上面図である。
【図１７】前駆体原料容器の蓋に備え付けられるフィルタの断面図である。
【図１８】図１７のフィルタで用いることができるフィルタ材料の一実施形態である。
【図１９】前駆体原料容器及び気相反応チャンバにキャリアガス及び反応物ガスを流すためのガス送出システムの概略図である。
【図２０】接続して示す図７の容器及びガスインタフェースアセンブリの正面斜視図である。
【図２１】接続して示す図７の容器及びガスインタフェースアセンブリの正面斜視図である。
【図２２】クイック接続アセンブリの代替的な実施形態を有する図７の前駆体原料容器及びガスインタフェースアセンブリの上正面斜視図である。
【図２３】接続して示す図２２の容器及びガスインタフェースアセンブリの上正面斜視図である。
【図２４】分離して示す図２２の容器及びガスインタフェースアセンブリの下正面斜視図である。
【図２５】前駆体原料容器にベント弁及び専用ベントラインを加えた図１９のガス送出システムの概略図である。
【図２６】ベント弁を有する前駆体原料容器の斜視図である。
【図２７】図２２〜図２４のガスインタフェースアセンブリに接続された図２６の容器の斜視図である。
【図２８】弁に専用の加熱デバイスを加えた図２６の容器の断面図である。
【発明を実施するための形態】
【００１８】
［好適な実施形態の詳細な説明］
本特許出願は、容器を反応器に装填して接続するための改良型の前駆体原料容器、装置、及び方法と、蒸気処理反応器と共に容器を用いるためのインタフェースとを開示する。開示される実施形態により、反応物蒸気への優れたアクセス、反応器のガス送出システムの汚染の低減、及び前駆体原料容器の保守性（例えば、交換又は再充填）の改善が得られる。
【００１９】
好適な実施形態及び方法の以下の詳細な説明は、特許請求の範囲の理解を助けるいくつかの具体的な実施形態を詳述している。しかしながら、特許請求の範囲によって規定及び包含されるように多くの異なる実施形態及び方法で本発明を実施することができる。
【００２０】
ガス送出システムの概説
図１は、固体又は液体前駆体原料容器１０から発生する気相反応物を気相反応チャンバ１２に送り込むための従来の前駆体送出システム６を概略的に示す。本発明の前駆体送出システムが図１のガス送出システム６の態様の多くを組み込み得ることが、当業者には理解されるであろう。したがって、本発明をよりよく理解するために、従来の送出システム６をここで説明する。
【００２１】
図１を参照すると、固体又は液体原料容器１０は、固体又は液体原料前駆体（図示せず）を収容する。固体原料前駆体は、標準条件下（すなわち、室温及び大気圧）で固体の原料化学物質である。同様に、液体原料前駆体は、標準条件下で液体の原料化学物質である。前駆体は、気化温度以上に維持され得る原料容器１０内で気化される。気化した反応物は、続いて反応チャンバ１２に送り込まれる。反応物原料容器１０及び反応チャンバ１２は、反応物原料キャビネット１６及び反応チャンバ容器１８内にそれぞれ位置付けることができ、反応物原料キャビネット１６及び反応チャンバ容器１８は、個別に排気及び／又は熱制御されることが好ましい。これは、当該技術分野で既知のように、これらの部品に別個の冷却及び加熱デバイス、絶縁材、及び／又は隔離弁及び関連の配管を設けることによって達成することができる。
【００２２】
図示のガス送出システム６は、気相反応チャンバで用いるべき気相反応物を送出するのに特に適している。気相反応物は、堆積（例えば、ＣＶＤ）又は原子層堆積（ＡＬＤ）に用いることができる。
【００２３】
図１で見られるように、反応物原料容器１０及び反応チャンバ１２は、気相反応物を反応物原料容器１０から反応チャンバ１２（ＡＬＤ反応チャンバ等）に送り込むために第１の導管２０を介して互いに選択的に流体連通するようになっている。第１の導管２０は、１つ又は複数の隔離弁２２ａ、２２ｂを含み、隔離弁２２ａ、２２ｂは、反応物原料容器１０及び反応チャンバ容器１８の一方又は両方の排気及び／又は保守中に反応物原料容器１０及び反応チャンバ１２のガス空間を分離するのに用いられ得る。
【００２４】
気化した前駆体のキャリアガスとして、不活性ガス（inactive or inert gas）を用いることが好ましい。不活性ガス（例えば、窒素又はアルゴン）は、第２の導管２４を通して前駆体原料容器１０に送り込むことができる。反応物原料容器１０は、第２の導管２４への接続用の少なくとも１つの入口と、容器１０からのガスの引き抜き用の少なくとも１つの出口とを含む。容器１０の出口は、第１の導管２０に接続される。容器１０は、反応チャンバ１２の圧力よりも高い圧力で運転され得る。したがって、第２の導管２４は、容器１０の保守又は交換中に容器の内部を流体的に隔離するのに用いることができる少なくとも１つの隔離弁２６を含む。反応物原料キャビネット１６の外側で、第２の導管２４に制御弁２７が位置決めされることが好ましい。
【００２５】
別の変形形態（本発明の実施形態で用いることができる）では、前駆体蒸気は、キャリアガスを用いずに反応物原料容器１０を真空引きすることによって反応チャンバ１２に引き込まれ得る。これは、「ベーパードロー（vapor draw）」と呼ばれることがある。
【００２６】
さらに別の変形形態（同じく本発明の実施形態で用いることができる）では、前駆体蒸気は、ベンチュリ効果のように容器１０の外側でより低い圧力を生む外部ガス流によって容器から引き出すことができる。例えば、前駆体蒸気は、容器１０の下流の経路に沿って反応チャンバ１２に向けてキャリアガスを流すことによって引き抜くことができる。或る条件下では、これが容器１０とキャリアガスの流路との間に差圧を発生させ得る。この差圧により、前駆体蒸気が反応チャンバ１２に向かって流れるようになる。
【００２７】
固体原料前駆体が用いられる場合に、分散した固体粒子を除去するために、ガス送出システム６は、気化した反応物を通す清浄器２８を含む。清浄器２８は、分散した固形物若しくは粒子又は最小分子サイズの分子を反応物ガス流から分離することが可能なメカニカルフィルタ、セラミックモレキュラーシーブ、及び静電フィルタ等の多種多様な清浄デバイスの１つ又は複数を備え得る。容器１０に付加的な清浄器を設けることも知られている。特に、米国特許出願公開第２００５／００００４２８号は、鋼製コンテナ内に密閉されるガラスるつぼを備える容器を開示しており、このるつぼは、反応物原料を収容し、フィルタ付きの蓋を有する。この蓋は、鋼製コンテナに結合する容器蓋から分離される。
【００２８】
図１を引き続き参照すると、反応物原料容器１０は、反応物原料キャビネット１６内に位置決めされる。キャビネット１６の内部空間３０は、キャビネット１６内の部品の放射加熱を促進すると共にこのような部品を互いに熱的に隔離して均一な温度場を促すために、低圧（例えば、１ｍＴｏｒｒ〜１０Ｔｏｒｒ、多くの場合は約５００ｍＴｏｒｒ）に保たれ得る。他の変形形態では、キャビネットは、排気されず、対流促進デバイス（例えば、ファン、クロスフロー等）を含む。図示のキャビネット１６は、放射加熱器等の１つ又は複数の加熱デバイス３２を含む。また、反射板（reflector sheet）３４を設けることができ、これは、キャビネット１６内の部品を囲んで、加熱デバイス３２が発生する放射熱をキャビネット１６内に位置決めされている部品に反射するように構成され得る。反射板３４は、キャビネット１６の内壁４０並びにキャビネットの天井７及び床９に設けることができる。図示の装置では、第１の導管２０の実質長が反応物原料キャビネット１６内に収容される。したがって、第１の導管２０は本質的に、或る程度の熱を受けることで反応物蒸気の凝縮を防止することになる。
【００２９】
反応物原料キャビネット１６は、キャビネットの外壁３８と内壁４０との間に形成される冷却ジャケット３６を含み得る。冷却ジャケット３６は、水又は別のクーラントを収容し得る。ジャケット３６は、キャビネット１６の外面３８を周囲温度又は周囲温度付近で維持させることができる。
【００３０】
ＡＬＤプロセスの交互パルス間での反応物原料容器１０からのガス流を防止又は低減するために、第１の導管２０内に不活性ガスバリアを形成することが可能である。これは、第１の導管２０内の正常な反応物流とは逆の方向にガスを流すことで気相バリアを形成することによって反応物原料容器１０から反応チャンバ１２に反応物が流れるのを防止するための、第１の導管２０の一部における「不活性ガス弁調節部（valving）」又は「拡散バリア」とも呼ばれることがある。ガスバリアは、接続点５２で導管２０に接続される第３の導管５０を介して第１の導管２０に不活性ガスを送り込むことによって形成することができる。第３の導管５０は、第２の導管２４への供給を行う不活性ガス供給源５４に接続され得る。反応物原料容器１０からの気相パルスの送り込みの合間の期間に、不活性ガスが第３の導管５０を通して第１の導管２０に送り込まれることが好ましい。このガスは、第１の接続点５２の上流（すなわち、反応物原料容器１０に近い方）に位置付けられる第２の接続点６０で第１の導管２０に接続される第４の導管５８を介して引き抜かれ得る。このように、正常な反応物ガス流とは逆の方向の不活性ガス流が、第１の導管２０の第１の接続点５２と第２の接続点６０との間で（反応物パルス間に）達成される。第４の導管５８は、排気源６４（真空ポンプ等）と連通し得る。制限部６１並びに弁５６、６３、及び７０も設けられ得る。ガス送出システム６のさらなる詳細は、米国特許出願公開第２００５／００００４２８号に図示及び記載されている。
【００３１】
図１に示すシステム６等の既存の固体又は液体前駆体原料送出システムには、いくつかの欠点及び制限がある。１つの欠点は、前駆体原料容器（容器１０等）と反応チャンバ（反応チャンバ１２等）との間のガスライン及び弁を加熱するために多数の付加的なヒータを設ける必要がある場合があることである。特に、これらの介在するガス搬送部品（例えば、弁２２ａ、２２ｂ、７０、清浄器２８、導管２０）の全てを前駆体の凝縮温度よりも高い温度で維持して、前駆体蒸気がこのような部品に堆積するのを防止することが普通は望ましい。通常、これらの介在部品は、ラインヒータ、カートリッジヒータ、加熱ランプ等によって別個に加熱される。一部のシステム（例えば、米国特許出願公開第２００５／００００４２８号）は、これらの付加的なヒータを利用して、介在部品を原料容器の温度よりも高い温度にバイアスする。このような温度バイアシングは、冷却時の介在部品における前駆体凝縮を防止するのに役立つ。原料容器は通常、介在するガス搬送部品よりも大きな熱質量を有するため、これらの部品は、原料容器よりも速く凝縮温度に冷却される危険がある。これは、原料容器が依然として前駆体蒸気を生成し続け、それがより低温の介在部品に流れてそこに堆積し得るという望ましくない状況につながり得る。温度バイアシングは、この問題を克服することができる。しかしながら、付加的なヒータが必要なことで、装置の全体サイズ及び運転費が大きくなる。
【００３２】
さらに、従来の固体原料送出システムは通常、固体前駆体粒子（例えば、キャリアガス流に混入している粉末）が反応チャンバに入るのを防止するために、原料容器出口と基板反応チャンバとの間でフィルタ（図１の清浄器２８等）を用いる。このようなフィルタも、装置の全体サイズを増大させ、そこでの凝縮を防止するために付加的なヒータを必要とし得る。また、このようなフィルタは通常、原料容器出口の下流にあるため、ガス導管内又は容器出口弁自体内等、容器出口下流のガス搬送部品に前駆体粒子が堆積し得る危険を伴う。これらの粒子は、弁等の部品に損傷を与える可能性があることで、弁の完全にシールする能力を損なわせる可能性がある。
【００３３】
従来の固体又は液体原料送出システムの別の欠点は、前駆体原料容器を再充填又は交換し難いことが多いことである。図２は、コンテナ本体３３及び蓋３５を備える通常の前駆体原料容器３１を示す。蓋３５からは、入口管４３ａ、４３ｂ及び出口管４５ａ、４５ｂが上方に延びている。入口管４３ａ、４３ｂ間には隔離弁３７が介装され、出口管４５ａ、４５ｂ間には隔離弁３９が介装される。管４３ａと４５ａとを接続するガスライン間には、別の隔離弁４１が介装される。入口管４３ａ、４３ｂ及び出口管４５ａ、４５ｂは、コンテナ本体３３を通して不活性キャリアガスを流すようになっている。管４３ａ、４５ａは通常、反応物ガス送出システムの他のガス流ラインに接続するように構成されるフィッティング４７を含む。固体又は液体原料前駆体が使い果たされて交換が必要な場合、原料容器３１全体を原料化学物質がフル充填されている新たな原料容器と交換するのが通例である。原料容器３１の交換には、隔離弁３７及び３９を閉じ、フィッティング４７を残りの処理基板処理装置から切断し、容器３１を物理的に取り外し、新たな容器３１を適切な場所に配置して、新たな容器３１のフィッティング４７を残りの基板処理装置に接続することが必要である。多くの場合、このプロセスは、様々な熱電対、ラインヒータ、クランプ等の分解も伴う。これらのプロセスは、いささか面倒であり得る。
【００３４】
従来の固体又は液体原料送出システムの別の欠点は、ガス送出システムが流れの停滞領域（「デッドレッグ（dead legs）」とも呼ばれる）を発生させ得ることである。デッドレッグは、前駆体原料容器からのガス流路の長さ及び複雑さが増すと生じる傾向がある。原料容器の従来の入口隔離弁及び出口隔離弁（上述）は、デッドレッグを発生させ得る。概して、デッドレッグは、送出システムのガス搬送部品への望まれない前駆体堆積の危険を高める。このような望まれない前駆体堆積は、デッドボリュームに関連するコールドスポットに起因して生じる可能性があり、コールドスポットでは、前駆体は昇華／溶融温度よりも低い温度で固化する。このような望まれない前駆体堆積は、デッドボリュームに関連するホットスポットに起因して生じる可能性もあり、ホットスポットでは、前駆体は高温で分解する。この理由から、反応物ガス流の停滞を低減及び最小化することが概して望ましい。ホットスポット又はコールドスポットを発生させる機会を減らすために、温度制御すべき表面積を減らすことも概して望ましい。
【００３５】
デッドレッグの量及び体積を最小化する別の理由は、前駆体原料容器と基板反応チャンバとの間に介装されるガス送出システムの全体積を減らすためである。ガス送出システムの全体積が大きくなると、多くの場合、ＡＬＤ処理に関連する最短パルス時間及び最短パージ時間も増える。最短パルス時間は、注入された反応物が処理対象基板の表面を飽和させるのに要するパルス時間である。最短パージ時間は、反応物パルス間で基板反応チャンバ及びガス送出システムから余剰反応物をパージするのに要する時間である。基板スループット（基板を処理できる速度）は、最短パルス時間及び最短パージ時間が短くなると高くなる。したがって、スループットを高めるために、デッドレッグの量及び体積を減らすことが望ましい。
【００３６】
ガス送出システムの全体積を減らすことの別の利点は、反応物ガスパルスの「パルス波形」が改善されることである。パルス波形は、反応物ガスパルスの場合、反応物／キャリア混合物における反応物の化学的濃度の曲線の形状を指す。図３は、理想的な反応物濃度曲線８０及び理想に満たない曲線８２の一例を示す。両方の曲線が、反応物濃度が実質的にゼロである期間８６によって分離される反応物ガスパルス８４を含む。理想的な曲線８０は、方形波等の直線的な波に似ている。基板スループットを最適化するために、各反応物ガスパルスが最短時間で基板表面の利用可能な反応部位の全てに反応物種を送出すること（飽和）が非常に望ましいため、実質的に直線的な波が好ましい。曲線８０の場合のような直線的なパルス波形がスループットを最適化する理由は、各パルスの持続時間に反応物が高濃度になることで、基板表面に十分な反応物種を送出するのに要するパルス持続時間が減るからである。また、直線的なパルス波形のばらつきが少ないことで、異なる前駆体の連続パルス間の「パルスオーバーラップ」の量が減るため、望まれないＣＶＤ成長モードの可能性が低くなる。対照的に、理想的ではない曲線８２の各パルス８４のパルス濃度は、その最高レベルに達するまでより長い時間がかかるため、基板表面を完全に飽和させるのに要するパルス持続時間が長くなる。したがって、曲線８０の周波数は曲線８２の周波数よりも小さい。ガス送出システムの全体積が大きくなるほど、パルス波形が劣化する。したがって、デッドレッグを最小化することによってパルス波形を改善する（すなわち、方形波により近いものにする）ことが望ましい。
【００３７】
従来の固体原料送出システムの別の欠点は、処理前の前駆体原料容器の通気に伴う汚染の危険である。前駆体原料容器には通常、容器内にガスのヘッド圧が加えられる。例えば、前駆体粉末が充填された原料容器は、多くの場合、周囲圧力よりもわずかに高い圧力（例えば、５ｐｓｉ）のヘリウム又は他の不活性ガスと共に輸送される。ヘリウムは通常、輸送直前にヘリウムリークディテクタを用いた「アウトバウンド」ヘリウムリークテストを行って容器の完全性を確保することを可能にするために用いられる。このヘリウムは、多くの場合、少量の漏れがある場合にガスが容器の外に漏れるように残されるか又はＮ２若しくは他の不活性ガスで置き換えられることで、容器内の前駆体の大気汚染を防止する。容器が基板処理で用いられる前に、内部ガスのヘッド圧は通常除去される。通常、容器の内部ガスは、容器の出口隔離弁を通り、反応物ガス送出システムを通り、最終的に反応器のイグゾースト（exhaust：排気装置）／スクラバを通って抜かれる。一部のシステムでは、容器の内部ガスは、基板反応チャンバを通って抜かれる。他のシステムは、容器の内部ガスが反応チャンバを流れることなくイグゾースト／スクラバに導かれ得るように、反応チャンバと並列の（すなわち、反応チャンバのすぐ上流の地点から反応チャンバのすぐ下流の地点まで延びる）ガスラインを用いる。いずれの場合も、現在の容器設計は、容器がヘッド圧から解放されるときに粒子が発生する危険を伴う。その結果、ベント流（すなわち、容器から抜ける内部加圧ガス）中に前駆体粉末が混入し得ることで、容器出口自体を含むガス送出システムの下流部品を汚染し場合によっては損傷させる可能性がある。正常な処理中でも、前駆体材料（例えば、粉末）が前駆体原料容器を流れるキャリアガス中に混入し得ることで、ガス送出システム内での前駆体の望まれない堆積の危険を伴う。
【００３８】
ここで開示する前駆体送出システムの実施形態は、改良型の前駆体原料容器及び当該容器と送出システムの残りの部分とを迅速に接続及び切断する装置を用いることによってこれらの問題を実質的に克服する。次に、これらの態様を説明する。
【００３９】
原料容器と密接に熱接触するガスパネル
図４〜図６は、３つの異なるガスパネル機構を示す。ガスパネルは通常、前駆体原料容器の下流にある１つ又は複数の弁を含み、容器の上流にも１つ又は複数の弁を含むことができる。図４は、原料化学物質が原料容器１０内に収容される従来の機構を示す。ガスパネル９０は、キャリアガス供給源（図示せず）から容器１０を通して反応チャンバ（図示せず）にキャリアガスを送出するように動作可能な複数の弁を含む。入口弁９１が、配管９３によって容器１０の上流に接続され、出口弁９２が、配管９４によって容器１０の下流に接続される。この従来の機構では、入口弁９１、出口弁９２、並びにガスパネル９０の弁及び配管は通常、容器１０と密接に熱接触していない。
【００４０】
図５は、図４の機構に対して幾分改善されている機構を示す。図５の機構では、前駆体原料容器１００が、表面実装入口弁１０８及び表面実装出口弁１１０を有する。弁１０８及び１１０は、配管９５及び９６によって従来のガスパネル９０から分離される。この機構では、弁１０８及び１１０は、容器１００と密接に熱接触しているが、ガスパネル９０の弁及び配管はそうではない。
【００４１】
図６は、図５の機構に対して改善されている機構を示す。図６の機構では、原料容器１００は、表面実装入口弁１０８及び表面実装出口弁１１０を備える概ね平坦な上面を有する。また、ガスパネル９７が、ガスパネルの弁及び配管が容器１００の概ね平坦な表面とほぼ平行な平面に沿って位置決めされるように配置される。容器１００とガスパネルの弁及び配管との熱接触を高めるために、ガスパネルの弁及び配管の平面と容器１００の概ね平坦な表面との間の距離は、好ましくは約１０．０ｃｍ以下、より好ましくは約７．５ｃｍ以下、さらにより好ましくは約５．３ｃｍ以下である。
【００４２】
表面実装弁及び蛇行経路を有する原料容器
図７は、改良型の固体又は液体前駆体原料容器１００及びクイック接続アセンブリ１０２の好適な実施形態を示す。原料容器１００は、コンテナ本体１０４及び蓋１０６を含む。蓋１０６は、より詳細に後述する表面実装隔離弁１０８及び１１０を含む。
【００４３】
図８〜図１０は、図７の原料容器１００をより詳細に示す。図８は、原料容器１００の分解図であり、図９及び図１０は、原料容器１００の後部断面図である。図示の容器１００は、コンテナ本体１０４、本体１０４内の蛇行経路インサート１１２、及び蓋部品１０６を含む。図示のアセンブリは、ねじ又はナット及びボルトの組み合わせ等の締結要素１２４によって互いに締結される。締結要素１２４は、本体１０４のフランジ１２６内の整列した孔に入るようになっている。様々な代替的な方法によってアセンブリを互いに締結できることが、当業者には理解されるであろう。
【００４４】
蛇行経路インサート１１２は、キャリアガスが容器１００を流れるときに進まなければならない迂曲又は蛇行経路１１１を画定することが好ましい。蛇行経路１１２は、粉末又は液体等の前駆体原料を収容することが好ましい。キャリアガスを前駆体原料に曝しながら長い蛇行経路１１１に流すことで、キャリアガスがより多くの反応物蒸気を運ぶようになる。蛇行経路１１１は、従来の前駆体原料容器内のキャリアガス流路よりも著しく長い。キャリアガスは、前駆体原料と曝されながら長い経路に沿って流れる必要があるため、より長い時間にわたって前駆体原料に曝されることで前駆体でより飽和されやすくなる。キャリアガスが曝されるようになる反応化学物質及び滞留時間が増えるため、蛇行経路１１１は、処理中に容器１００を加熱する重要性も減らし、その実際的な効果として、昇華／気化に要する温度が低下する。弁１０８及び１１０（後述）及び弁２１０（図２５〜図２８を参照して後述）は、あまり厳しい環境下にないため信頼性が高まる。低い温度要件により、設計における部品の選択肢も増える。十分な量の反応物蒸気を反応チャンバに送出することが容易になるため、性能も向上する。また、ＡＬＤ処理中の各反応物パルスの濃度は、時変性が小さくなる。換言すれば、キャリアガスが反応物蒸気で完全な飽和状態に近付くにつれて、反応物パルス波形は直線的な波に近くなる。
【００４５】
蛇行インサート１１２を蓋１０６に対して付勢して、インサート１１２と蓋１０６との間の境界面から反応物ガスが逃げるのを防止するために、ばね１１４を設けることが好ましい。換言すれば、ばね１１４は、蛇行経路の一部又は全部をガスが迂回する危険を減らす傾向がある。適当なばね１１４は、イリノイ州レイクズーリックのSmalley Steel Ring Companyから販売されているＳｐｉｒａｗａｖｅ（登録商標）波形ばね等の平角線圧縮ばねを含む。
【００４６】
代替的な実施形態では、蛇行経路１１１は、コンテナ本体１０４又は容器蓋１０６に直接加工される。例えば、図１１は、一体形成の蛇行経路１１１が直接加工されているコンテナ本体１０４を示す。
【００４７】
図１２〜図１６に示す別の代替的な実施形態では、蛇行インサート１１２は、蛇行ガス流路を共同で画定する複数の積み重ねたトレーを備える。例えば、図１２は、複数の積み重ねられるトレー２３０、２４０を示しており、これらは、コンテナ本体１０４（図７〜図１０）に取り外し可能に挿入されるように構成され、容器１００の迂曲経路の少なくとも一部を含む螺旋状ガス流路を共同で画定する。図１２〜図１６では、説明を容易にするためにトレー２３０、２４０の高さを増加してある。容器１００の直径がその全高よりも大幅に大きくなるように、トレーを鉛直方向により薄くしてもよいことを理解されたい。
【００４８】
図示の実施形態では、４つのトレー、すなわち３つの上トレー２３０及び１つの下トレー２４０が積み重ねられる。トレーの数は、昇華速度、キャリア流等のパラメータに基づいて変わり得る。
【００４９】
図１３及び図１４を参照すると、各上トレー２３０は、ガス流の通過を防止すると共にトレー２３０の全高に延びる完全（solid：隙間のない）ディバイダ２３１と、ガス流の通過を許す部分ディバイダ２３２とを含む。好ましくは、部分ディバイダは、ガス流の自由な通過を許したまま大きな前駆体微粒子を保持するように構成されるスクリーン２３３を含む。図示の実施形態では、スクリーン２３３は部分ディバイダ２３２の上部にわたって延びているが、部分ディバイダ２３２の高さは中実パネルで終わっている。環状リム２３４も上トレー２３０の高さに延びる。完全ディバイダ２３１及び部分ディバイダ２３２は共に、固体原料材料（図示せず）を保持する主区画２３５及びトレー２３０の下面で開いている外側チャネル区画２３６を画定する。図示の上トレー２３０は、下トレー２４０にキャリアガスを送出するガス入口パイプを収納するための中央チャネル２３８を含む中央コア２３７を有する。図示の上トレー２３０は、上面には複数のペグ２３９、及び下面にはその下の別のトレーのペグを受け入れる対応の複数の孔（図示せず）も有する。本明細書で後述する動作に照らすとよりよく理解されるように、中央コア２３７の下面の孔は、上面のペグ２３９に対して回転方向にずれていることで、曲がりくねった流路を画定するように複数のトレーを互いに重ねて適切に位置合わせする役割を果たすことが望ましい。いくつかの好適な実施形態では、流れが曝される主区画のコーナには、鋭角のコーナからの流れの停滞を最小限に抑えるために丸みが付けられる。
【００５０】
図１５及び図１６を参照すると、最下部のトレー２４０は、ガス流の通過を防止すると共にトレー２４０の全高に延びる完全ディバイダ２４１と、ガス流の乗り越えを許す部分ディバイダ２４２とを含む。好ましくは、部分ディバイダ２４２は、図１２の説明に照らすとよりよく理解されるように、上に重なった上トレー２３０の中央にある中央チャネル２３８に通じる開口を提供するだけである。環状リム２４４も下トレー２４０の高さに延びる。リム２４４、完全ディバイダ２４１、及び部分ディバイダ２４２は共に、固体原料材料（図示せず）を保持する主区画２４５及び外側チャネル区画２４６を画定する。好適な実施形態では、固体原料材料は、主区画２４５を完全に満たしてさらにはチャネル区画２４６も満たす。代替的な実施形態では、固体原料材料は、主区画の高さの１／３〜２／３を満たす。図示の下トレー２４０は、チャネル区画２４６が突入している中央コア２４７、上面には複数のペグ２４９、及び下面にはコンテナ本体１０４（図７〜図１０）の床から上方に突出するペグを受け入れる対応の複数の孔（図示せず）も有する。
【００５１】
トレー２３０、２４０のスタックは、図１２の分解図に示すように組み立てられる。上トレー２３０及び下トレー２４０それぞれの主区画２３５、２４５には、好ましくは粉末の形態の前駆体原料化学物質が充填される。下トレー２４０及び複数の上トレー２３０は、互いに積み重ねて外部のコンテナ本体１０４に装填される。トレー２３０、２４０は、ガスが各トレーに流れ込んで、好ましくは少なくとも主区画を２００度〜３５５度回って流れてから上に重なった上トレー２３０のチャネル区画２３６に入るように、ペグ２３９、２４９及び対応の孔によって位置合わせされる。続いて、コンテナ蓋１０６（図７及び図８）がコンテナ本体１０４の上で閉じられてシールされ、蓋から延びる中央パイプ２１５が、上トレー２３０の中央チャネル２３８を下方に貫通して下トレー２４０のチャネル区画２４６に通じる。図１２は、中央パイプ２１５を示しているが蓋１０６は示していない。中央パイプ２１５は、搬送されるキャリアガスを容器１００の入口に送出するように構成される。いくつかの好適な実施形態では、多くの場合、ばね又は他の付勢デバイス（図示せず）が下トレー２４０の下に配置されて全てのトレーを互いに付勢することで、中央コアから異なるレベルへの漏れを防止する。
【００５２】
動作の際、トレー２３０、２４０のスタックに不活性ガスを送出することが好ましく、不活性ガスは、好ましくは各トレー２３０、２４０の主区画の約２００度〜３５０度の円弧を水平方向に通った後でそのトレーから鉛直方向に出る、長く曲がりくねった流れルートを経る。図示の実施形態では、不活性キャリアガスは、上トレー２３０の位置合わせされた中央チャネル２３８を下方に貫通して下トレー２４０のチャネル区画２４６に通じる中央入口２１５を通して供給される。不活性ガスは、上に重なった上トレー２３０の下面の開口に達するまで、主区画２４５内の前駆体原料化学物質を通過しながら曲進する。この開口は、キャリアガス及びそれが運ぶ気化した前駆体が上に重なった上トレー２３０のチャネル区画２３６に入ることを可能にし、ガスは、チャネル区画２３６からスクリーン２３３（図１３）を通過して主区画２３５に入る。ガスは、その主区画２３５内の固体前駆体を通過して、好ましくは約２００度〜３５０度の円弧を曲進した後で、上に重なった上トレー２３０の下面の開口に達し、以下同様である。最上部の上トレー２３０において、ガスは、好ましくは蓋容器１０６の表面実装出口弁１１０（後述）を通って容器１００から出ることができる。当然ながら、所望であれば流路を逆にしてもよいことを理解されたい。換言すれば、不活性キャリアガスは、最上部トレーから始まってトレーのスタックを流れ下りることができる。
【００５３】
図８〜図１０を再び参照すると、図示の実施形態では、容器蓋１０６は、入口弁１０８及び出口弁１１０を含む。入口弁１０８は、導管１２１を介してキャリアガスを受け取る入口端を有する。導管１２１は、ガスインタフェースアセンブリ１８０（後述）のガスライン１３３のフィッティング１３１（図７）に接続するようになっているフィッティング１２２を有する。入口弁１０８は、インサート１１２の蛇行経路１１１の第１の部分１１７（端部等）と流体連通することが好ましい出口端も有する。出口弁１１０は、蛇行経路１１１の第２の部分１１９（端部等）と流体連通することが好ましい入口端、及びオリフィス１２８等の蓋１０６の適当なガス出口と流体連通する出口端を有する。使用の際、キャリアガスは、導管１２１に流れ込み、入口弁１０８、蛇行経路１１１、及び出口弁１１０を通った後でオリフィス１２８から出る。したがって、この実施形態によって達成され得る結果は、蓋１０６の表面に隔離弁を取り付けること、及びキャリアガスを前駆体原料に曝しながら迂曲又は蛇行経路に沿って流すことを含む。容器１００を異なる構成にしてもよいことが、当業者には理解されるであろう。
【００５４】
上述したように、従来の固体又は液体前駆体原料容器は、容器本体又は蓋から延びる別個の管を含み、弁がこのような管とインラインで取り付けられている。例えば、図２の従来の容器３１は、蓋３５から上方に延びる別個の管４３ｂ及び４５ｂを含み、弁３７及び３９がこのような管に取り付けられている。容器３７の弁３７及び３９は、蓋３５に直接取り付けられてもおらず接触もしていない。その結果、容器３１からの反応物ガスが出口管４５ｂから流れ出てから出口弁３９に流れ込むことで、流路にガスの停滞又はデッドボリュームが伴い得る。さらに、従来の容器３１の隔離弁３７、３９、及び４１は、容器の蓋３５及び本体３３から大きく熱的に隔離されている。配管及び弁のいずれも、デッドボリューム又は「デッドレッグ」の有無に関係なく、３次元幾何形状で効果的に加熱することが非常に困難である。弁は、蓋３５及び本体３３よりも熱質量が小さいため、急速に加熱及び冷却される傾向がある。従来のシステムにおいて、システム冷却時に弁及び関連の配管に熱を与えて、このような部品が容器３１よりも速く冷却される（反応物蒸気がこのような部品に流れ込んでそこに堆積するという望まれない状況を生む可能性がある）のを防止するために、付加的なヒータ（ラインヒータ、カートリッジヒータ、直接加熱ランプ（directed heat lamp）等）が多くの場合に特に用いられるのは、こうした理由からである。従来の弁及び配管に関する別の問題は、これらが容器３１よりも速く加熱され得ることである。前駆体によっては、これにより、弁及び配管が前駆体の分解温度よりも高くなることで前駆体を分解してそこに堆積させるという状況が生まれる可能性がある。
【００５５】
対照的に、原料容器１００の隔離弁１０８及び１１０（図７〜図１０）は、容器１００の蓋１０６の表面に直接備え付けられることが好ましい。このような表面実装技術は、集積ガスシステムと呼ばれ得る。従来の前駆体原料容器（例えば、図２）と比較して、表面実装弁１０８及び１１０は、弁と容器１００との間の配管をなくして反応物ガスの移動経路を単純化及び短縮することによってガス送出システムのデッドレッグ（反応物ガス流の停滞）の体積を減らすことができる。これらの弁及び配管は、幾何形状が圧縮され熱接触が改善されたことによってはるかに加熱されやすくなるため、温度勾配が小さくなる。図示の表面実装弁１０８及び１１０は、弁ポーティングブロック（valve porting block）１１８及び１２０をそれぞれ有し、これらは、弁座と、弁座を通るガス流を選択的に制御する調整可能なフローリストリクタ（例えば、ダイヤフラム）とを含むことが好ましい。このような弁１０８及び１１０は、弁座を通る全ガス流を制限することによって容器１００を隔離する。ポーティングブロック１１８、１２０は、容器蓋１０６と一体形成されてもよく、又は容器蓋１０６と別個に形成されて容器蓋１０６に備え付けられてもよい。いずれの場合も、ポーティングブロック１１８、１２０は、容器蓋１０６と比較的高い熱接触度を有することが好ましい。これにより、容器１００の温度変化時に弁１０８及び１１０の温度が蓋１０６及びコンテナ本体１０４の温度に近いままとなる。この表面実装弁構成で、気化した前駆体ガスの凝縮を防止するのに必要なヒータの総数を減らすことができる。容器１００が前駆体原料化学物質の気化温度よりも高い場合、気化した前駆体は、弁１０８及び１１０に自由に流れることができる。弁１０８、１１０は、温度ランピング時に容器１００の温度を厳密に辿るため、弁も気化温度より高くなる可能性が高いことで、弁における前駆体の凝縮を防止するための付加的なヒータの必要が減る。短縮されたガス流路も加熱の制御に適している。表面実装弁１０８及び１１０は、実装空間要件もはるかに小さい。
【００５６】
弁１０８及び１１０はそれぞれ、弁によって制限又は開放することができるガス流路を含む弁ポーティングブロックを備えることが好ましい。例えば、図９及び図１０を参照すると、弁１０８のポーティングブロック１１８は、導管１２１からポーティングブロック１１８の片側１２３を通って領域１１３まで延びる内部ガス流路を含むことが好ましい。領域１１３は、弁座及び可動リストリクタ又はダイヤフラム等、ガスの流れを制限する内部装置（図示せず）を含むことが好ましい。一実施形態では、可動内部リストリクタ又はダイヤフラムは、ノブ（例えば、弁１０８のより大きな円筒形上部１８１）を手動又は自動で回すことによって動かすことができる。別の内部ガス流路が、領域１１３からブロック１１８の反対側１２５を通って、蓋１０６を貫通して容器１００内に通じる入口通路まで延びることが好ましい。例えば、入口通路は、蛇行インサート１１２によって画定される迂曲経路１１１まで延び得る。弁１１０及びベント弁２１０（図２５〜図２８を参照して後述）は、弁１０８と同様に構成され得る。一実施形態では、弁１０８及び１１０は空気弁である。弁ポーティングブロック１１８及び１２０を容器蓋１０６と一体形成することが特に好ましい。これにより、両者間の別個のシールの必要がなくなる。
【００５７】
別の実施形態では、弁１０８、１１０、及び２１０（図２５〜図２８）は、ポーティングブロック１１８、１２０等のポーティングブロックを有せずに形成され、容器蓋１０６等の容器１００の一部と一体形成されることが好ましい。
【００５８】
フィルタ
好ましくは、前駆体原料容器は、粒子状物質（例えば、原料化学物質の粉末）が容器から逃げるのを防止するために、容器を通るガス流を濾過する濾過装置を含む。濾過装置は、容器の蓋に、好ましくは表面実装弁１０８、１１０、及び／又は２１０（図２５〜図２８）の下に設けられ得る。好ましくは、濾過装置は、容器の入口及び出口ごとに別個のフィルタを備える。
【００５９】
図１７は、反応物原料容器の本体又は蓋（例えば、図８の蓋１０６）に装着され得る濾過装置１３０の一実施形態の断面図である。図示の装置１３０は、フランジ１３２、フィルタ媒体１３４、及びファスナ要素１３６から成るフィルタである。この実施形態では、フィルタ１３０は、容器の蓋（例えば、図８の蓋１０６）の凹部１３８に密接に嵌まるようなサイズ及び形状である。フランジ１３２の外周は、円形、矩形、又は他の形状とすることができ、その形状は、凹部１３８の外周にぴったりと一致することが好ましい。フィルタ材料１３４は、フランジ１３２の環状内壁１４０によって画定される開口を通る特定サイズよりも大きなガス混入粒子の通過を制限するように構成される。材料１３４は、壁１４０によって画定される開口全体を遮断することが好ましい。材料１３４は、様々な異なる材料のいずれを含んでいてもよく、一実施形態では高流動性の焼結式ニッケル繊維媒体（high flow sintered nickel fiber media）である。他の実施形態では、フィルタ媒体は、他の金属（例えば、ステンレス鋼）、セラミック（例えば、アルミナ）、石英、又はガス若しくは液体フィルタに通常組み込まれる他の材料から製造される。材料１３４は、環状壁１４０に溶接又は接着されることが好ましい。一実施形態では、フィルタ１３０は、カリフォルニア州サンタクララのTEM Productsから販売されているもの等の表面実装サンドイッチフィルタを含む。
【００６０】
図示の実施形態では、ファスナ要素１３６は、フランジ１３２を蓋１０６の壁１４６に対して付勢するばねスナップリングを含む。リング１３６は、凹部１３８の外周の環状凹部１４２内に密接に嵌まることが好ましい。スナップリング１３６は、例えば、イリノイ州レイクズーリックのSmalley Steel Ring Companyから販売されているＳｐｉｒａｗａｖｅ（登録商標）波形ばね等の平角線圧縮ばねを含み得る。フィルタ１３０を蓋１０６に締結するために、さらなる異なるタイプの締結要素を設けてもよい。好ましくは、ファスナ要素１３６は、フランジ１３２と蓋１０６との間の境界面を通ってキャリアガス及び反応物蒸気が流れるのを防止することで、全てのガスがフィルタ材料１３４を通って流れなければならないようにする。フィルタ１３０の出口側にプレナム１４８を画定するために副凹部１４７が設けられ得ることで、濾過されたガス流の品質を改善することができる。図示のフィルタ１３０は、単にスナップリング１３６を環状凹部１４２から取り外し、フィルタ１３０を凹部１３８から取り外し、新たなフィルタ１３０を挿入して、スナップリング１３６を環状凹部１４２に挿入し戻すことによって、容易に交換可能である。
【００６１】
フィルタ凹部１３８は、前駆体原料容器の隔離弁の１つに近接して位置付けられることが好ましい。図１７の実施形態では、凹部１３８は、原料容器１００の出口隔離弁１１０（図１）の弁ポーティングブロック１２０の直下にある。個々のフィルタ１３０が入口弁１０８及びベント弁２１０（図２５〜図２８）を含む容器の各隔離弁に関連して設けられ得ることが、当業者には理解されるであろう。プレナム１４８から弁ポーティングブロック１２０の通路１４４まで、通路１４５が延びる。図示の実施形態では、ポーティングブロック１２０は、容器蓋１０６とは別に形成され、両者間にシールが設けられることが好ましい。別の実施形態では、ブロック１２０は、蓋１０６と一体形成され、通路１４４、１４５は、同じ穿孔作業で形成される。
【００６２】
図１８は、一実施形態によるフィルタ材料１３４の表面部分の拡大断面図である。この実施形態では、フィルタ材料１３４は、大粒子濾過層１５０及び小粒子濾過層１５２を含む。大粒子濾過層１５０は、比較的大きな粒子を濾過することが好ましく、小粒子濾過層１５２は、比較的小さな粒子を濾過することが好ましい。大粒子濾過層１５０は、複数の空隙１５１を含む。一実施形態では、大粒子濾過層１５０は、約２０％〜６０％の空隙率、より好ましくは３０％〜５０％の空隙率である。一実施形態では、大粒子濾過層１５０は、約４２％の空隙率である。大粒子濾過層１５０は、例えばステンレス鋼材料を含み得る。大粒子濾過層１５０は、フィルタ材料１３４の大部分を構成することが好ましい。空隙１５１があるため、フィルタ材料１３４で生じる圧力損失は比較的小さい。大粒子濾過層１５０の構造剛性を高めるために、１つ又は複数の支持管１５４が設けられ得る。小粒子濾過層１５２は、０．０５ミクロン〜０．２ミクロンの孔径、より好ましくは約０．１０ミクロンの孔径を有し得る。小粒子濾過層１５２は、約５ミクロン〜２０ミクロン、より好ましくは約１０ミクロンの厚さを有し得る。小粒子濾過層１５２は、例えばジルコニアのコーティングを含み得る。大粒子濾過層１５０の各側が、小粒子濾過層１５２で被覆され得る。適当なフィルタ材料は、Pall Corporationから販売されているＡｃｃｕＳｅｐフィルタと同様のものである。
【００６３】
ガスインタフェースアセンブリ
図１９は、前駆体原料容器１００及び気相反応チャンバ１６２にキャリアガス及び反応物ガスを流すために用いられ得るガス送出システム１６０の概略図である。本明細書で説明するように、送出システム１６０は、容器１００、キャリアガス供給源１６４、下流清浄器又はフィルタ１６６、及び複数の付加的な弁を含む。隔離弁１０８、１１０は、上述のように容器１００に表面実装されることが好ましい。キャリアガス供給源１６４は、接続点１６８に不活性キャリアガスを送出するように動作可能である。弁１７０が、接続点１６８と容器入口弁１０８との間に介装される。弁１７２が、接続点１６８と接続点１７４との間に介装される。弁１７６が、接続点１７４と容器出口弁１１０との間に介装される。清浄器１６６及び付加的な弁１７８は、接続点１７４と反応チャンバ１６２との間に介装される。図示のように、容器１００は、適当な制御及び警報インタフェース、ディスプレイ、パネル等を有し得る。
【００６４】
容器１００を通して反応チャンバ１６２にキャリアガスを流すことが望ましい場合、弁１７０、１０８、１１０、１７６、及び１７８を開いて弁１７２を閉じる。反対に、キャリアガスが反応チャンバ１６２への途中で容器１００を迂回することが望ましい場合、弁１７２及び１７８を開き、好ましくは弁１７０、１０８、１１０、及び１７６の全てを閉じる。例えば保守及び修理のために、弁１７８を用いて、反応チャンバ１６２をガス送出システム１６０から隔離することができる。
【００６５】
図７を再び参照すると、容器１００及び関連の気相反応チャンバを通るキャリアガス及び反応物蒸気の流れの制御を容易にするガスインタフェースアセンブリ１８０において、前駆体ガス送出システム（図１９に示すもの等）を具現することができる。図示のガスインタフェースアセンブリ１８０は、複数の弁１８２（図１９の弁１７０、１７２、１７６、及び１７８と実質的に同じ機能を果たすことができる）、下流清浄器又はフィルタ１８４、及びヒータプレート１８６を含む。弁１８２は、弁ポーティングブロック１１８及び１２０と原理及び動作が同様である弁ポーティングブロック１８８を含み得る。
【００６６】
図７及び図１９を参照すると、ガスライン１３３が、キャリアガス供給源１６４からキャリアガスを受け取る弁１８２の１つから延びる。例えば、ガスライン１３３が延びている弁１８２は、実質的に図１９の弁１７０の機能を果たすことができる。図７は、キャリアガス供給源からこのような弁まで延びるガスラインを示していないが、設けられることを理解されたい。ガスライン１３３は、容器１００とガスインタフェースアセンブリ１８０とが接続されるときに容器のキャリアガス入口フィッティング１２２に接続するフィッティング１３１を含む。ガスインタフェースアセンブリ１８０の出口１３５が、反応チャンバ１６２にガスを送出する。原料容器のキャリアガス入口は、出口オリフィス１２８と同様に構成され得ることを理解されたい。
【００６７】
図７を引き続き参照すると、ヒータプレート１８６は、弁１８２及び容器１００を好ましくは前駆体の気化温度よりも高い温度に加熱する。好適な実施形態の様々な弁と、弁ポーティングブロックと、ガス導管とが高度に熱接触すること、及びヒータプレート１８６がこれらの部品に近接していることで、容器１００の下流のガス搬送部品における前駆体の凝縮を防止するのに必要な総熱量が減る。ヒータプレート１８６は、カートリッジヒータ又はラインヒータ等の様々な異なるタイプのヒータによって加熱され得る。ヒータプレートは、アルミニウム、ステンレス鋼、チタン、又は様々なニッケル合金等の様々な材料から形成され得る。サーモフォイル型ヒータを用いて、ヒータプレート１８６及び弁ポーティングブロック１８８を加熱することもできる。サーモフォイル型ヒータを用いることで、可変ワット密度又は２つ以上の制御ゾーンが可能になり得る。可変ワット密度又は複数の温度制御ゾーンがヒータプレート１８６に組み込まれることで、ガスの流路に沿って温度勾配をつけることが可能になり得る。これにより、反応物蒸気が下流に移動するにつれて徐々に加熱されるようにすることができるため、凝縮が回避される。適当なサーモフォイルヒータは、ミネソタ州ミネアポリスのMincoから販売されている。容器蓋１０６及びコンテナ本体１０４を加熱するために、付加的なヒータ（ラインヒータ、カートリッジヒータ、放射加熱ランプ、及びサーモフォイル型ヒータを含む）を設けることもできる。
【００６８】
いくつかの実施形態では、容器１００を加熱するために専用のヒータが設けられ得る。図１８に示す特定の一実施形態（さらに詳細に後述する）では、専用の加熱デバイス２２０が容器のコンテナ本体１０４の下面の下に設けられる。
【００６９】
上述のように、前駆体蒸気は、「ベーパードロー」法及び外部ガス流法によって容器１００から引き抜くこともできる。ベーパードロー法では、蒸気を引き出すために容器１００が真空引きされる。例えば、弁１１０、１７６、及び１７８を開いて弁１０８、１７０、及び１７２を閉じた状態で、反応チャンバ１６２が下流から真空引きされ得る。真空引きは、例えば真空ポンプを用いて行うことができる。外部ガス流法では、前駆体蒸気は、弁１１０、１７２、１７６、及び１７８を開いて弁１０８及び１７０を閉じた状態で供給源１６４から反応チャンバ１６２にキャリアガスを流すことによって、容器１００から引き抜かれ得る。或る条件下では、これが容器１００とキャリアガスの流路との間に差圧を発生させることで、前駆体蒸気を反応チャンバに向かって流すことができる。
【００７０】
クイック接続アセンブリ
図７を引き続き参照すると、クイック接続アセンブリ１０２は、ガスインタフェースアセンブリ１８０への前駆体原料容器１００の迅速で容易な装填、位置合わせ、及び接続を促すことが好ましい。クイック接続アセンブリ１０２は、人間工学的に優しく、容器１００の交換及び再充填を容易にして保守性を高める。これらの目標に留意して、様々な異なるタイプのクイック接続アセンブリを提供することができ、図示のアセンブリ１０２が一実施形態にすぎないことが、当業者には理解されるであろう。クイック接続アセンブリ１０２は、原料容器１００及び支持制御ハードウェアが実装される真空エンクロージャに組み込まれ得る。
【００７１】
図７、図２０、及び図２１を参照すると、図示のクイック接続アセンブリ１０２は、ベース１９０、ベース１９０の縁から上方に延びるペデスタル１９２、トラック部品１９４、及びリフトアセンブリ１９６を含む。ベース１９０は、反応物原料キャビネット１６の床９等、ガス送出システム６（図１）の下内面に固定され得ることが好ましい。好ましくは、ペデスタル１９２は、ベース１９０の上方の位置でガスインタフェースアセンブリ１８０に接続されてこれを支持する。トラック部品１９４は、プラットフォーム１９８及びプラットフォーム１９８の両側にある２つのローラトラック２００を含む。整列したローラ２０４を有する一対のローラアセンブリ２０２が、容器１００の両側に固定されることが好ましい。この実施形態では、ローラ２０４は、トラック部品１９４のトラック２００内で転動するようなサイズ及び構成であるため、容器１００をプラットフォーム１９８に容易且つ迅速に位置決めすることができる。
【００７２】
ローラアセンブリ２００をトラック２００と係合させて容器１００をプラットフォーム１９８に搭載すると、出口弁１００の出口が、ガスインタフェースアセンブリ１８０の弁１８２の１つの入口と鉛直方向に位置合わせされることが好ましい。リフトアセンブリ１９６は、プラットフォーム１９８を下降位置（図７に示す）と上昇位置（図２０及び図２１に示す）との間で鉛直方向に移動させるように構成される。容器１００をプラットフォーム１９８に搭載してプラットフォームをその上昇位置に移動させると、出口弁１１０の出口が、弁１８２の１つの入口と直接的又は間接的に連通することが好ましい。出口弁１１０の出口と弁１８２の入口との間の境界面を適切にシールするために、最小限の手動調整が必要となり得る。図示の実施形態では、出口弁１１０の出口は、弁ポーティングブロック１２０のオリフィス１２８である。このように、クイック接続アセンブリ１０２は、前駆体原料容器１００とガスインタフェースアセンブリ１８０との迅速な接続を可能にする。
【００７３】
図２０に示すように、図示のリフトアセンブリ１９６は、プラットフォーム１９８を鉛直方向に移動させるようにシザーレッグ１９７を手動で作動させることができるリフトハンドル１９５を備える。例えば、ハンドル１９５及びレッグ１９７は、何らかの既存のオートジャッキと同様に動作することができる。一実施形態では、リフトアセンブリ１９６は、ハンドル１９５を約１８０度回転させるとプラットフォーム１９８をその上昇位置に持ち上げる。しかしながら、他のタイプのリフトデバイスを代替的に設けてもよいことを理解されたい。
【００７４】
クイック接続アセンブリ１０２は、空になった容器１００を新たな容器と交換することをより容易にする。さらに、アセンブリ１０２が容器の取り外し及び装着を単純化するため、容器１００の日常保守もより行いやすい。好ましくは、容器１００の重量は、一人の技術者で容易に対処できるようなものである。
【００７５】
図２２〜図２４は、クイック接続アセンブリ１０２の代替的な実施形態を示す。図示のアセンブリ１０２は、プラットフォーム１９８及びペデスタル１９２を含む。プラットフォーム１９８は、容器１００の両側に取り付けられる舌部２０６を受け入れるようになっているトラック２００を含む。プラットフォーム１９８を上昇させるために、１つ又は複数のリフトデバイス２０８が設けられる。図示の実施形態では、リフトデバイス２０８は、プラットフォーム１９８の下のボルトを含む。ボルトを回して、プラットフォーム１９８を容器１００に関連する接続位置に上昇させることができる。プラットフォーム１９８の鉛直方向位置合わせを維持するために、ガイド装置（図示せず）が設けられ得る。
【００７６】
ベント弁
上述のように、前駆体原料容器には通常、容器内に不活性ガス（例えば、ヘリウム）のヘッド圧が加えられる。このヘッド圧を抜いて通常のプロセス圧まで下げる間に、固体前駆体粒子は、エアロゾル化して不活性ガス流出流中に混入する。このようなガスは通常、容器の出口隔離弁、反応物ガス送出システム、及び最終的に反応器のイグゾースト／スクラバを通して抜かれるため、これはガス送出システムを汚染し得る。その後、基板処理中に、前駆体送出経路とベント経路とに共通であるガスパネルの汚染部分が、基板上のＡＬＤ中に処理不良を引き起こし得る。
【００７７】
好適な実施形態では、この問題は、処理前に容器内のガスのヘッド圧を解放するために前駆体原料容器に付加的なベント弁を設けると共にガス送出システムに専用のベントラインを設けることによって、実質的に克服される。図２５〜図２８は、本発明のこの態様の一実施形態を示す。図２５は、容器ベント弁２１０が前駆体原料容器１００に加えられていると共に専用ベントライン２１１がベント弁２１０に接続されている、図１９のガス送出システム１６０の概略図である。図示のベントライン２１１は、イグゾースト／スクラバまで直接延びる。抜かれたガスは、部品１１０、１７６、１６６、１７８、又はそれらの間のガスライン等、反応チャンバ１６２への前駆体送出の経路を形成するガス送出システムを汚染することなく、実質的に放出させることができる。
【００７８】
容器ベント弁２１０に表面実装フローリストリクタを加えてベント流速度を低下させることで、前駆体原料（例えば、粉末）をかき乱す可能性がある乱流を減らすことができる。適当な表面実装フローリストリクタは、コネチカット州ファーミントンのMott Corporationから販売されており、ＧＳＭＲリストリクタとしても知られている。
【００７９】
図２６は、ベント弁２１０を含む前駆体原料容器１００の一例を示す。この実施形態では、ベント弁２１０は、入口隔離弁１０８及び出口隔離弁１１０の中間に位置決めされている。しかしながら、他の配置が可能であることが、当業者には理解されるであろう。好ましくは、ベント弁２１０は、弁ポーティングブロック１１８及び１２０と実質的に同様であり得る弁ポーティングブロック２１２を含む。図２７は、上述のように図２２〜図２４のガスインタフェースアセンブリに接続される図２６の容器１００を示す。
【００８０】
図２８は、図２６の容器１００の実施形態の断面図である。上述のように、容器１００は、コンテナ本体１０４、蛇行インサート１１２、ばね１１４、及び容器蓋１０６を含む。容器蓋１０６は、表面実装隔離弁１０８及び１１０、並びに好ましくは表面実装の隔離弁２１０を含む。好ましくは、弁１０８、１１０、及び２１０は、弁ポーティングブロック１１８、２１２、及び１２０をそれぞれ含む。図２８は、弁ポーティングブロックの内部ガス通路２１４も示す。上述のように、弁ポーティングブロック１２０は、ガスインタフェースアセンブリ１８０に前駆体蒸気及びキャリアガスを供給するガス出口１２８を含む。
【００８１】
弁１０８、２１０、及び１１０のそれぞれにフィルタが関連付けられることが好ましい。図示の実施形態では、容器蓋１０６は、各弁に関連するフィルタ１３０（例えば、図１７に示し上述したような）を含む。様々な異なるタイプのフィルタを用いることができることを理解されたい。フィルタは、前駆体粒子が容器１００から出るのを防止する。
【００８２】
いくつかの実施形態及び例に関して本発明を開示したが、本発明が具体的に開示した実施形態を超えて他の代替的な実施形態並びに／又は使用及び自明の変形形態並びにその均等物にまで及ぶことが、当業者には理解されるであろう。したがって、本発明は、本明細書中の好適な実施形態の具体的な開示によって限定されることは意図されない。
【図１】
2010506429.tif 000003
【図２】
2010506429.tif 000004
【図３】
2010506429.tif 000005
【図４】
2010506429.tif 000006
【図５】
2010506429.tif 000007
【図６】
2010506429.tif 000008
【図７】
2010506429.tif 000009
【図８】
2010506429.tif 000010
【図９】
2010506429.tif 000011
【図１０】
2010506429.tif 000012
【図１１】
2010506429.tif 000013
【図１２】
2010506429.tif 000014
【図１３】
2010506429.tif 000015
【図１４】
2010506429.tif 000016
【図１５】
2010506429.tif 000017
【図１６】
2010506429.tif 000018
【図１７】
2010506429.tif 000019
【図１８】
2010506429.tif 000020
【図１９】
2010506429.tif 000021
【図２０】
2010506429.tif 000022
【図２１】
2010506429.tif 000023
【図２２】
2010506429.tif 000024
【図２３】
2010506429.tif 000025
【図２４】
2010506429.tif 000026
【図２５】
2010506429.tif 000027
【図２６】
2010506429.tif 000028
【図２７】
2010506429.tif 000029
【図２８】
2010506429.tif 000030
【国際調査報告】
2010506429.tif 000031
2010506429.tif 000032
2010506429.tif 000033
2010506429.tif 000034